【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
金属容器を封止する方法であって、
底部、側壁部、前記側壁部から上方へ延びる首部、および前記首部の最上部に配置された開口部を備える容器本体を好ましい形状に設ける工程と、
ねじ付閉止部を前記首部の前記開口部に挿入する工程であって、前記ねじ付閉止部は、前記首部の前記開口部に少なくとも部分的に挿入されるように構成された閉止部本体を備え、前記閉止部本体は、前記閉止部本体の外面の少なくとも一部に形成された閉止部ねじを有する工程と、 
容器ねじを前記容器本体の前記首部の少なくとも一部に形成する工程であって、前記形成は、前記首部の外面に力を加えて前記首部の一部を前記ねじ付閉止部に対して圧縮することによるものであり、前記ねじ付閉止部は、前記容器本体の前記首部に着脱可能に相互接続される工程とを備える、方法。
【請求項２】
容器ねじを形成する前記工程は、
水圧バッグを前記首部の前記外面の近くに配置し、前記水圧バッグを拡張させる工程、
液体の流れを前記首部の前記外面に向ける工程、
前記首部の前記外面に対してツールを配置する工程、および、
前記閉止部本体に形成されたチャンバにマンドレルを挿入する工程であって、前記マンドレルは、前記容器本体の前記首部の前記外面に前記力を加えて前記容器ねじを形成するとき、前記閉止部本体を支持する工程、
のうちの少なくとも１つを含む、請求項１に記載の方法。
【請求項３】
前記容器本体の前記首部と前記閉止部ねじより上の前記ねじ付閉止部の一部との接触、および、
前記容器本体の前記首部と前記閉止部ねじより下の前記ねじ付閉止部の一部との接触、
の１以上によって、前記ねじ付閉止部と前記容器本体との間にシールが形成される、請求項１に記載の方法。
【請求項４】
前記ねじ付閉止部は、食品、液体、気体、香料、景品、洗浄剤、美容補助品、およびツールのうちの少なくとも１つを収納するのに十分な、前記閉止部本体に形成されたチャンバ、
前記閉止部本体が前記容器本体から少なくとも部分的に取り外された後に視認可能な変化を示すタンパインジケータであって、前記ねじ付閉止部本体の上部および前記ねじ付閉止部本体の下部の少なくとも一方に相互接続される、タンパインジケータ、および、
前記閉止部ねじを貫通するように形成された少なくとも１つのチャネルであって、前記ねじ付閉止部を回転させて前記ねじ付閉止部を前記容器本体の前記首部から取り外すとき、前記容器本体の内部から周囲空気に連通するように構成される、少なくとも１つのチャネル、
のうちの１以上をさらに含む、請求項１に記載の方法。
【請求項５】
環状リングを前記容器ねじより下の前記容器本体の首部に形成する工程をさらに含み、前記環状リングは、前記ねじ付閉止部本体の下部から下方へ延びるシール、および前記ねじ付閉止部本体の一部に相互接続されたライナの少なくとも一方に接触する、請求項１に記載の方法。
【請求項６】
閉止可能な金属容器を製造する方法であって、
底部、側壁部、前記側壁部から上方へ延びる首部、および前記首部の最上部に配置された開口部を備える金属容器を設ける工程と、
ねじ付閉止部を前記金属容器の前記開口部に少なくとも部分的に挿入する工程であって、前記ねじ付閉止部は、閉止部本体と、前記閉止部本体の外面の少なくとも一部に形成された閉止部ねじと、前記金属容器の表面に接触するように構成された少なくとも１つのシールとを備える、工程と、
前記首部の外面にツールを押し付けることにより、前記首部が前記ねじ付閉止部に対して押されて、容器ねじを前記首部の一部に形成する工程であって、前記ねじ付閉止部を回転させることによって前記ねじ付閉止部が前記金属容器の前記開口部に着脱可能に相互接続される、工程とを備える、方法。
【請求項７】
前記金属容器は、前記首部において環状リングをさらに備え、前記ねじ付閉止部は、前記閉止部本体の下部に相互接続されたライナを含み、前記ツールが前記容器ねじを形成するとき、前記ライナは、前記環状リングの内面と前記閉止部本体の前記下部との間で少なくとも部分的に圧縮される、請求項６に記載の方法。
【請求項８】
環状リングを前記閉止部本体の前記下部の近くに存在する前記金属容器の前記首部に形成する工程とをさらに備え、前記環状リングの内面は、前記閉止部本体の下部に相互接続されたライナに接触する、請求項６に記載の方法。
【請求項９】
再閉止可能な金属容器であって、
底部、側壁部、前記側壁部から上方へ延びる首部、前記首部の少なくとも一部に形成された容器ねじ、および前記首部の最上部に配置された開口部を備える容器本体と、
前記首部の前記開口部に少なくとも部分的に挿入されるように構成された閉止部本体を備えるねじ付閉止部と、
前記閉止部本体の外面の少なくとも一部に形成された閉止部ねじと、
前記ねじ付閉止部と前記容器本体との間の接触によって形成された少なくとも１つのシールと、
前記ねじ付閉止部と前記金属容器との間に形成されたシールが壊れたときに可視標識を提供するタンパインジケータとを備える、金属容器。
【請求項１０】
前記ねじ付閉止部は、前記閉止部本体の一部に注入される不浸透性材料、ならびに前記閉止部本体の内面および外面の少なくとも一方に施される不浸透性材料の少なくとも一方からなる気体透過バリアをさらに備える、請求項９に記載の金属容器。
【請求項１１】
前記容器本体の前記首部の少なくとも一部は、円錐形部分を有し、前記容器ねじの上部は、前記容器ねじの下部よりも大きい径を有する、請求項９に記載の金属容器。
【請求項１２】
前記ねじ付閉止部の下部に相互接続されたライナをさらに備え、前記ライナは、前記容器本体の前記首部に形成された環状リングの少なくとも一部に接触する、請求項９に記載の金属容器。
【請求項１３】
着脱可能な閉止部を有する金属容器を封止する方法であって、
底部、側壁部、前記側壁部から上方へ延びる首部、および前記首部の最上部に配置された開口部を備える容器本体を設ける工程と、
前記首部の前記開口部に少なくとも部分的に挿入されるように構成されたねじ無し閉止部本体を備える着脱可能な閉止部を設ける工程と、
前記着脱可能な閉止部本体の少なくとも一部を前記首部の前記開口部に挿入する工程と、
前記容器本体の首部の少なくとも一部および前記着脱可能な閉止部本体の少なくとも一部にねじを同時に形成する工程であって、前記着脱可能な閉止部は、前記容器本体の前記首部に相互接続される、工程とを備える、方法。
【請求項１４】
ねじを同時に形成する前記工程は、前記着脱可能な閉止部本体に形成されたチャンバにマンドレルを挿入し、前記容器本体の首部の外面にツールを押し付けて、前記容器本体の首部を前記着脱可能な閉止部本体に対して圧縮する工程、および、
ねじ形成ツールを前記容器本体の首部の外面の近くに配置し、前記着脱可能な閉止部本体に形成されたチャンバの内面にツールを押し付けて、前記着脱可能な閉止部本体および前記容器本体の首部を前記ねじ形成ツールの輪郭面に対して圧縮する工程、
のうちの少なくとも１つを含む、請求項１３に記載の方法。
【請求項１５】
前記着脱可能な閉止部と前記容器本体との間にシールを形成する工程をさらに備え、前記シールは、
前記着脱可能な閉止部ねじより上、および、
前記着脱可能な閉止部ねじより下、
のうちの何れか一方に配置され、
前記着脱可能な閉止部の前記ねじ無し閉止部本体は、圧縮性材料からなる、請求項１３に記載の方法。